(57)【特許請求の範囲】
【請求項１】
第１の絶縁基板１ｂと第２の絶縁基板１ａとを対抗させ且つ第１の絶縁基板１ｂと第２の絶縁基板１ａとの間に液晶を封止してなる液晶パネルと、
前記第１の絶縁基板１ｂと前記第２の絶縁基板１ａに対向する主面の端部に接続されるフレキシブルプリント基板２とを備え、
前記フレキシブルプリント基板２は、前記第１の絶縁基板１ｂの主面端部から離間し且つ該主面端部に沿って延びる第１部分と、該第１部分から該第１の絶縁基板の主面端部に夫々延び且つ該主面端部沿いに互いに離間して並設され且つ該主面端部に接続する端子２ａを夫々備える２つの第２部分と、該２つの第２部分の間において該第１の部分から該第１の絶縁基板の主面端部上に延びた第３部分とを一体に成形してなり、
前記フレキシブルプリント基板２の前記第１部分は前記２つの第２部分の間に形成され且つ前記第１の絶縁基板１ｂの端部に達する切り込み２ｂにより分断され、
前記分断された第１部分は前記第３部分２ｃによりつながり且つ該第３部分２ｃには該分断された第１部分の配線を接続する迂回配線２ｄが設けられていることを特徴とする液晶表示装置。
【請求項２】
前記第１の絶縁基板１ｂの前記主面の裏側には前記フレキシブルプリント基板２を介して該第１の絶縁基板１ｂに接続される配線基板３が前記分断された第１部分の一方に対向し且つその他方に対向しないように設けられ、該分断された第１部分の一方は該主面の裏側へ折り曲げられることなく該配線基板３に対向し、該分断された第１部分の他方は該第１の絶縁基板１ｂの該主面の裏側に折り曲げられていることを特徴とする請求項１に記載の液晶表示装置。
【発明の詳細な説明】
【０００１】
【発明の属する技術分野】
本発明は、液晶表示装置に係り、特にパソコン等の電子機器に組み込む際の当該電子機器の必要スペース節減あるいは他の機能部品の隣接設置スペースの確保を可能とする構造とした液晶表示装置に関する。
【０００２】
【従来の技術】
映像や画像を表示するためのパネル型デバイスとして、液晶表示装置が多く用いられるようになっている。
【０００３】
この液晶表示装置には、所謂ＳＴＮ−ＬＣＤと称する単純マトリクス型と、ＴＦＴ−ＬＣＤで代表されるアクティブマトリクス型とが知られている。
【０００４】
液晶表示装置は、例えば透明導電膜からなる画素電極を形成した透明な２枚の絶縁基板（一般にはガラス板）を貼り合わせ、両者の間隙に液晶を封止した表示パネルと、この表示パネルの外周に駆動ＩＣ等の各種電子素子を搭載した回路基板と、バックライトおよびその他の必要な構成材を積層し、これらを金属フレーム（シールドケース）とプラスチック製等のモールドフレームとで挟持して一体化してなる。
【０００５】
特に、アクティブマトリクス型の代表的な液晶表示装置であるＴＦＴ−ＬＣＤは、マトリクス状に配列された複数の画素電極のそれぞれに対応して薄膜トランジスタを配置し、所要の画素を選択して画像表示を行うものである。
【０００６】
このＴＦＴ−ＬＣＤの各画素における液晶は、理論的には常時駆動（デューティ比１．０）の時分割駆動方式を採用しているので、所謂単純マトリクス方式と比べてコントラストが良好で、特にカラー表示には欠かせないものとなっている。
【０００７】
なお、ＴＦＴ−ＬＣＤに関する従来技術を開示したものとしては、特開昭６３−３０９９２１号公報を挙げることができる。
【０００８】
図８は従来の液晶表示装置のコーナー部の構造例を説明する要部平面模式図、また、図９は図８のＡ−Ａ線に沿った断面模式図であって、１は液晶パネル、１ａは上ガラス板、１ｂは下ガラス板、２はフレキシブル配線基板（以下、ＦＰＣとも言う）、２ａは端子、２ｄは配線、３は信号発生基板、４はドライバＩＣ、５は液晶モジュール固定ネジ穴位置である。
【０００９】
図８、図９において、液晶パネル１は透明電極、その他の機能膜を形成した２枚のガラス板（上ガラス板１ａ、下ガラス板１ｂ）の間に液晶層を挟持してなり、その周縁部の裏面に駆動回路、制御回路等を搭載した各種のプリント基板が接続されている。
【００１０】
近年、一方のガラス板である下ガラス基板１ｂの端縁部表面側に駆動ＩＣ４を直接搭載する、所謂ＣＯＧ（チップ・オン・グラス）形式の実装方式が採用されている。
【００１１】
例えば、図示の液晶パネルの一方の端縁において、下ガラス板１ｂに搭載した駆動ＩＣ４とガラス基板１ｂの周辺裏面側に設置した信号処理ＩＣ等を搭載した信号発生基板３との間をフレキシブルプリント基板２を介して接続している。
【００１２】
このコーナー部では、信号発生基板３とフレキシブルプリント基板２とが液晶パネル１から外側に張り出しているため、液晶パネル１に導光板やバックライトを組み込んでモジュール化するための液晶モジュール固定ネジ穴位置５は図示したように上記信号発生基板３とフレキシブルプリント基板２から離れた部分に位置することになる。
【００１３】
図１０はノート型パソコンに液晶モジュールを組み込んだ状態を示す画面側キャビネットの要部平面図であって、１は液晶パネル、６は画面側のキャビネット表裏固定ネジ穴位置、７はノートパソコンの画面側キャビネット、８は液晶モジュールである。
【００１４】
同図に示したように、画面側キャビネット７には、その表裏の部材を固定するための画面側キャビネット表裏固定ネジ穴位置６のためのスペースが確保されている。
【００１５】
【発明が解決しようとする課題】
上記従来の液晶表示装置では、パソコン等の電子機器の画面側キャビネット７の内寸いっぱいに液晶モジュール８を実装しようとする場合、上記のキャビネット表裏固定ネジ穴位置６のためのスペースを確保することができないという問題があった。
【００１６】
また、液晶画面の周辺にスピーカ等の機能部品を取り付けるためのスペース確保も困難であった。
【００１７】
本発明の目的は、上記従来技術の問題点を解消し、組み込む電子機器の画面側キャビネットの内寸にいっぱいに液晶モジュールを実装可能とし、あるいは当該キャビネットの表示画面の周辺にスピーカ等の機能部品を設置可能とした構造を有する液晶表示装置を提供することにある。
【００１８】
【課題を解決するための手段】
上記目的を達成するための本発明の構成を、理解し易いように実施例の符号を付して説明する。
【００１９】
すなわち、請求項１に記載の第１の発明は、第１の絶縁基板１ｂと第２の絶縁基板１ａとを対抗させ且つ第１の絶縁基板１ｂと第２の絶縁基板１ａとの間に液晶を封止してなる液晶パネル１と、前記第１の絶縁基板１ｂと前記第２の絶縁基板１ａに対向する主面の端部に接続されるフレキシブルプリント基板２とを備えた液晶表示装置において、
前記フレキシブルプリント基板２を、（１）前記第１の絶縁基板１ｂの主面端部から離間し且つ当該主面端部に沿って延びる第１部分と、（２）当該第１部分から当該第１の絶縁基板の主面端部に夫々延び且つ当該主面端部沿いに互いに離間して並設された当該主面端部に接続する端子２ａを夫々備える２つの第２部分と、（３）当該２つの第２部分の間において当該第１の部分から当該第１の絶縁基板の主面端部上に延びた第３部分とで一体に成形し、
前記フレキシブルプリント基板２の前記第１部分を、前記２つの第２部分の間に形成され且つ前記第１の絶縁基板１ｂの端部に達する切り込み２ｂで分断し、
前記分断された第１部分を前記第３部分２ｃでつなげ且つ当該分断された第１部分の一方の配線とその他方の配線とを接続する迂回配線２ｄを当該第３部分２ｃに設けることを特徴とする。
【００２０】
この構成により、前記フレキシブルプリント基板２の前記分断された第１部分の一方は前記第１の絶縁基板１ｂの裏面側に折り込めるため、液晶モジュールのコーナー部分に十分なスペースが確保され、液晶モジュール固定のためのネジ穴はもとより、パソコン等の画面側キャビネットの表裏部材を固定するためのネジ穴のスペース、あるいはスピーカ等の機能部品の設置用のスペースが確保される。また、画面側キャビネットの内寸いっぱいのサイズで液晶モジュールを実装することが可能となる。
【００２１】
また、請求項２に記載の第２の発明は、第１の発明における前記フレキシブル配線基板２を介して前記第１の絶縁基板１ｂに接続される配線基板３を当該第１の絶縁基板１ｂの前記主面の裏側に当該フレキシブルプリント基板２の前記分断された第１部分の一方に対向し且つその他方に対向しないように設け、当該分断された第１部分の一方を当該主面の裏側へ折り曲げずに当該配線基板３に対向させ、当該分断された第１部分の他方を当該第１の絶縁基板１ｂの当該主面の裏側に折り曲げたことを特徴とする。
この構成により、当該分断された第１部分の他方を当該第１の絶縁基板１ｂの当該主面の裏側に折り曲げることで形成される空間を、当該液晶表示装置の構成部材とは異なる機能部品の設置空間として利用できる。例えば、パソコン等の画面側キャビネットの表示画面と同一面に小型のスピーカを内装させることができる。また、画面側キャビネットの内寸いっぱいのサイズの液晶モジュールを実装することが可能となる。
【００２４】
【発明の実施の形態】
以下、本発明の実施の形態について、実施例の図面を参照して詳細に説明する。
【００２５】
図１は本発明による液晶表示装置の１実施例の構成を説明するための要部平面模式図、図２は図１のＢ−Ｂ線に沿った断面模式図であって、１は液晶パネル、１ａは上ガラス板、１ｂは下ガラス板、２はフレキシブル配線基板、２ａは端子、２ｂは切込み、２ｃは迂回配線部、２ｄは配線、３は信号発生基板、４はドライバＩＣ、５は液晶モジュール固定ネジ穴位置である。
【００２６】
図１と図２において、液晶表示装置は、液晶パネル１を構成する一方のガラス基板１ｂの端縁部表面側に駆動ＩＣ４を直接搭載し、このガラス基板１ｂの周辺裏面側に設置した配線基板３との間をフレキシブルプリント基板２を介して接続する。
【００２７】
配線基板３は、液晶パネル１のコーナー部側端部の当該コーナー部との間に液晶パネルを導光板やバックライト等の各構成材と共にモジュール化するためのネジ穴と、パソコン等の画面側キャビネットの表裏部材を固定するためのネジ穴のスペース、あるいはスピーカ等の機能部品の設置用のスペースに対応する所定空間をもって後退した位置からガラス基板１ｂの縁辺に沿って設置される。
【００２８】
また、フレキシブル配線基板２は、一方のガラス基板１ｂ周辺表面側、かつ配線基板３上と上記所定空間上を覆って設置されている。
【００２９】
フレキシブル配線基板２には、配線基板３のコーナー部側端部近傍外縁から一方のガラス基板１ｂの端縁に達する切込み２ｂを有し、一方のガラス基板１ｂの表面上に位置する部分に配線基板３上に位置する配線と上記所定空間上の配線を接続する迂回配線部２ｃを有する。
【００３０】
そして、この切込み２ｂで上記所定空間上に位置するフレキシブル配線基板２を一方のガラス基板１ｂの裏面側に折込む。
【００３１】
図３は図１におけるフレキシブル配線基板２のコーナー部分を液晶パネルを構成する一方のガラス基板１ｂの裏面側に折込んだ状態を示す要部平面模式図であって、６は画面側キャビネット表裏固定ネジ穴位置である。また、図４は図３のＣ−Ｃ線に沿った断面模式図である。
【００３２】
図３と図４において、図１に示した切込み２ｂで上記所定空間上に位置するフレキシブル配線基板２を一方のガラス基板１ｂの裏面側に折込むと、前記した空間に液晶モジュール固定用ネジ穴位置５と画面側キャビネット表裏固定ネジ穴位置６のためのスペースが確保される。
【００３３】
図５は本発明による液晶表示装置を用いた液晶モジュールをノート型パソコンに組み込んだ状態を示す画面側キャビネットの要部平面図である。
【００３４】
同図に示したように、本実施例の構成により、画面側キャビネット７の表裏固定ネジ６のためのスペースが確保されると共に、当該キャビネット７の内寸いっぱいに液晶モジュールを実装することができる。
【００３５】
なお、前記図１０に示したようなサイズの液晶モジュールを画面側キャビネット７に実装する場合は、図５の液晶モジュール固定用ネジ穴位置５相当部分のスペースにスピーカ、その他の部品を内装でき、図示しないパソコン本体側キャビネットの有効スペースを拡大することができる。
【００３６】
図６は本発明による液晶表示装置を用いた液晶モジュールの全体構成例を説明する展開斜視図である。
【００３７】
同図において、ＳＨＤは金属板からなるシールドケース（メタルフレームとも言う）、ＷＤは表示窓、ＳＰＣ１〜ＳＰＣ４は絶縁スペーサ、ＦＰＣ１，ＦＰＣ２は折り曲げた多層フレキシブル回路基板（ＦＰＣ１はゲート側回路基板、ＦＰＣ２はドレイン側回路基板）、ＰＣＢはインターフェース回路基板、ＡＳＢはアセンブルされた駆動回路基板付き液晶表示素子、ＰＮＬは重ね合わせた２枚の透明絶縁基板（ガラス板）の一方の基板上に駆動回路（駆動ＩＣ）を搭載した液晶表示素子（液晶表示パネルとも称する）、ＧＣ１およびＧＣ２はゴムクッション、ＰＲＳはプリズムシート（２枚）、ＳＰＳは拡散シート、ＧＬＢは導光板、ＲＦＳは反射シート、ＭＣＡは一体成形により形成された下側ケース（モールドケース）、ＬＰは蛍光管（冷陰極蛍光灯）、ＬＰＣ１、ＬＰＣ２はランプケーブル、ＬＣＴはインバータ用の接続コネクタ、ＧＢは蛍光管ＬＰを支持するゴムブッシュ、ＨＳはフレームグランド、ＳＬＶは固定ネジ用のスリーブであり、図示したような相互配置関係で各部材が積み重ねられて液晶表示モジュールＭＤＬが組み立てられる。
【００３８】
すなわち、液晶表示モジュールＭＤＬは、下側ケースＭＣＡとシールドケースＳＨＤの２種の収納・保持部材を有し、絶縁スペーサＳＰＣ１〜４、回路基板ＦＰＣＢ１〜３、ＰＣＢ，液晶パネルＰＮＬを収納固定した金属製のシールドケースＳＨＤと、蛍光管ＬＰ、導光板ＧＬＢ、プリズムシートＰＲＳ、拡散シートＳＰＳ、等からなるバックライトＢＬを収納した下側ケースＭＣＡとを合体させ、フレームＳＨＤに設けた液晶モジュール固定ネジ穴と下側ケースＭＣＡに設けた液晶モジュール固定ネジ穴にネジを通して固定する。
【００３９】
多層フレキシブル回路基板ＦＰＣ１，ＦＰＣ２には液晶表示パネルＰＮＬの各画素を駆動するための集積回路チップが搭載され、またインターフェース回路基板ＰＣＢには外部ホストからの映像信号の受入れ、タイミング信号等の制御信号を受け入れる集積回路チップ、およびタイミングを加工してクロック信号を生成するタイミングコンバータ等が搭載される。
【００４０】
図示したように、シールドケースＳＨＤのコーナー部分には凹みＡＬＳ１、ＡＬＣ２が形成され、この部分にキャビネットの表裏取り付けネジ孔を位置させることができ、キャビネットの内寸いっぱいのサイズの液晶モジュールを実装できる。
【００４１】
なお、同図では、フレームＳＨＤの上辺の２ヵ所にのみ凹みＡＬＣ１，２を設ける構成としたが、右上コーナーに余裕がある場合は左上コーナー部のみに設けてもよく、また下辺のコーナー部分のフレキシブル配線基板ＦＰＣ、ＰＣＢに対してと同様の構成を持たせてシールドケースＳＨＤの全コーナーに上記と同様の凹みを形成してもよい。
【００４２】
なお、キャビネット７の上記した凹み部分にスピーカ等を内装することもできる。
【００４３】
図７は本発明による液晶表示装置を用いた液晶モジュールを実装した情報処理装置の一例を説明するノートパソコンの外観図であって、前記実施例の図面と同一符号は同一部分に対応し、ＩＶは蛍光管駆動用のインバータ電源、ＣＰＵはホスト側中央演算装置である。
【００４４】
前記図６で説明したように、本発明による液晶表示装置を実装したパソコンは、その液晶モジュールのコーナー部分にスペースを確保しているので、画面側キャビネットの表裏固定ネジ穴位置６が当該液晶モジュールに邪魔されることがない。
【００４５】
したがって、画面側キャビネットの内寸いっぱいに液晶モジュールを実装することが可能となる。
【００４６】
【発明の効果】
以上説明したように、本発明によれば、組み込む電子機器の画面側キャビネットの内寸いっぱいに液晶モジュールを実装可能とし、あるいは当該キャビネットの表示画面の周辺にスピーカ等の機能部品を設置可能とした構造を有する液晶表示装置を提供することができる。
【図面の簡単な説明】
【図１】本発明による液晶表示装置の１実施例の構成を説明するための要部平面模式図である。
【図２】図１のＢ−Ｂ線に沿った断面模式図である。
【図３】図１におけるフレキシブル配線基板２のコーナー部分を液晶パネルを構成する一方のガラス基板１ｂの裏面側に折込んだ状態を示す要部平面模式図である。
【図４】図３のＣ−Ｃ線に沿った断面模式図である。
【図５】本発明による液晶表示装置を用いた液晶モジュールをノート型パソコンに組み込んだ状態を示す画面側キャビネットの要部平面図である。
【図６】本発明による液晶表示装置を用いた液晶モジュールの全体構成例を説明する展開斜視図である。
【図７】本発明による液晶表示装置を用いた液晶モジュールを実装した情報処理装置の一例を説明するノートパソコンの外観図である。
【図８】従来の液晶表示装置のコーナー部の構造例を説明する要部平面模式図である。
【図９】図８のＡ−Ａ線に沿った断面模式図である。
【図１０】ノート型パソコンに液晶モジュールを組み込んだ状態を示す画面側キャビネットの要部平面図である。
【符号の説明】
１  液晶パネル
１ａ  上ガラス板
１ｂ  下ガラス板
２  フレキシブル配線基板
２ａ  端子
２ｂ  切込み
２ｃ  迂回配線部
２ｄ  配線
３  信号発生基板
４  ドライバＩＣ
５  液晶モジュール固定ネジ穴位置
６  キャビネット表裏固定ネジ穴位置
７  画面側キャビネット
８  液晶表示装置。
【図１】
0003565998.tif 000002
【図２】
0003565998.tif 000003
【図３】
0003565998.tif 000004
【図４】
0003565998.tif 000005
【図５】
0003565998.tif 000006
【図６】
0003565998.tif 000007
【図７】
0003565998.tif 000008
【図８】
0003565998.tif 000009
【図９】
0003565998.tif 000010
【図１０】
0003565998.tif 000011